(57)【要約】      （修正有）【課題】使用者が便利に食器を取り出すことができ、食器を取り出した後、蓋体が自動的に閉じる、食器吸着装置の提供。【解決手段】容器と座体と回転座部と上座体と蓋体と押し棒とを備え、前記容器は内部に収容空間を備え、前記容器上に上座体が開閉自在に設置され、前記上座体の中央に押し棒穿通孔を設け、且つ、前記上座体の片側に前記容器上を被覆する蓋体を開閉自在に設置し、さらに前記容器底部に座体を設け、前記容器及び上座体間に前記押し棒を移動可能に設置し、前記押し棒と上座体間に弾性部材を設置し、前記押し棒の一端に第一吸盤を設け、この構成により、前記容器内に入れた食器が、押し棒が押されると第一吸盤により吸着され、自動的に蓋体が押し開かれて使用者が簡単に食器を取り出すことができ、食器を取り出した後、蓋体が自動的に閉じ、容器内部に入れた食器が清潔且つ衛生的に保たれる。【選択図】図８
0003116113.tif 000002
【実用新案登録請求の範囲】
【請求項１】
少なくとも容器１と座体２と回転座部３と蓋体４と押し棒６とを備え、前記容器内部に収容空間を設け、前記容器上に上座体が開閉自在に設置され、前記上座体の中央に押し棒穿通孔を設け、且つ、前記上座体の片側に前記容器を覆う蓋体を開閉自在に設置し、前記押し棒は前記容器及び前記上座体間に移動可能に設置され、前記押し棒と上座体間に弾性部材を設け、且つ、前記押し棒の一端に第一吸盤を設けた、ことを特徴とする食器吸着装置。  
【請求項２】
前記容器底部に座体を設け、前記座体中央に突起体を設置し、前記突起体中央に位置決め孔を開設し、前記位置決め孔に固定部材及びパッドを設置し、吸盤柱体を備えた第二吸盤を螺合して固定し、且つ、前記吸盤柱体が前記固定部材に連結されるネジ孔を備え、さらに前記座体と第二吸盤間に回転座部を設置した、ことを特徴とする請求項１に記載の食器吸着装置。
【請求項３】
前記押し棒の一端の中央位置に第一吸盤位置決め孔と相互に連結される位置決め柱体を設け、前記押し棒内部に槽部を形成し、前記槽部内に弾性部材を設置し、且つ、前記押し棒の別の一端に固定キャップを設け、前記弾性部材を固定した、ことを特徴とする請求項１に記載の食器吸着装置。
【考案の詳細な説明】
【技術分野】
【０００１】
本考案は食器吸着装置に関するものであり、詳細には、自動的に蓋体が開き、使用者が簡単に食器を取り出すことができ、且つ、食器を取り出した後、蓋体が自動的に閉じ、容器内部に入れた食器を清潔且つ衛生的に保つことができる、食器吸着装置に関する。
【背景技術】
【０００２】
現代社会においては、使い捨て用具の使用量が日益しに増加の一途をたどっている。食器の使用においては、それでもまだ多くの衛生上の問題が隠されており、例えば、箸にはすでに密閉容器で衛生を保つものがあるが、スプーンや小型の碗や皿、フォーク、使い捨てレンゲなど、一般的なスプーン等の食器には未だそのような衛生を保つための容器製品がなく、食堂や夜店、市場、屋台などではスプーン等の食器が往々にして露出された状態で置かれており、ハエやゴキブリなどの病原媒体や空気中の埃による汚染を受け、スプーン等の食器そのものの衛生を保つことが難しい。さらに、手でスプーン等の食器を取るとき、複数の食器が貼り付いているのを手で剥がす必要があり、知らず知らずのうちに手に付いている細菌や病毒が別のスプーン等の食器に付着してしまう。このような状況で細菌や病毒が人と人との間で相互に伝染する可能性もあり、その危険性は見過ごすことができない。このため、スプーン等の食器を清潔且つ衛生的に保つことが必要である。
【考案の開示】
【考案が解決しようとする課題】
【０００３】
本考案の主な目的は、容器内に入れた食器が、押し棒が押されると第一吸盤により吸着され、同時に蓋体が自動的に押し開かれて使用者が便利に食器を取り出すことができ、また、食器を取り出した後、蓋体が自動的に閉じ、容器内部の食器を清潔且つ衛生的に保つことができる、食器吸着装置を提供することにある。
【課題を解決するための手段】
【０００４】
上記の目的を達するため、本考案の食器吸着装置は、内部に収容空間を設けた容器を備え、前記容器上に上座体が開閉自在に設置され、前記上座体の中央に押し棒穿通孔を設け、且つ、前記上座体の片側に容器上を被覆する蓋体が開閉自在に設置され、さらに、容器底部に座体を設け、容器及び上座体間に押し棒を移動可能に設置し、前記押し棒と上座体間に弾性部材を設け、且つ、前記押し棒の一端に第一吸盤を設置して構成する。
【考案を実施するための最良の形態】
【０００５】
本考案の食器吸着装置は、特にスプーンや小型の碗・皿、フォーク、使い捨てレンゲ等の食器の吸着装置であり、その内容をより明確に示すため、以下、図面に基づき詳細に説明する。
【実施例】
【０００６】
本考案は使い捨てレンゲを例として説明する。まず、図１に本考案の立体斜視図を示す。図１に示すように、本考案の食器吸着装置は、容器１、座体２、回転座部３、上座体４、蓋体５及び押し棒６を含んで成り、前記容器１内に多数の使い捨てレンゲを入れることができる。押し棒６が押されると、この押し棒６の一端に設けた第一吸盤を利用して使い捨てレンゲを吸着し、さらに蓋体５を押し開き、自動的に蓋が開く動作が行われ、使用者が便利に使い捨てレンゲを取り出すことができる。使い捨てレンゲが取り出された後、蓋体５が自動的に閉じ、容器１内部に入れた使い捨てレンゲを清潔且つ衛生的に保つことができる。
【０００７】
図２に本考案の立体分解図、図３に上半部の立体分解断面図、図４に下半部の立体分解断面図をそれぞれ示す。これらの図に示すように、前記容器１内部の収容空間１１内には多数の使い捨てレンゲ７を収納することができ、一番下のレンゲの杓部７１が座体２中央に設けた突起体２２上に被さるように位置決めされる。容器１下方には固定柱１５を設け、この固定柱１５と座体２の固定孔２１を相互に係合し、容器１と座体２を固定する。さらに、座体２中央の突起体２２上に位置決め孔２３を設け、前記位置決め孔２３に第二吸盤３１中央の吸盤柱体３１１を挿入し、この吸盤の位置決め孔２３内にさらにパッド２１１を設置し、固定部材２１２を吸盤柱体３１１上方のネジ孔３１２に螺合して固定すると共に、前記吸盤柱体３１１上に回転座部３を設置する。さらに、容器１上方の両側に磁石槽１２及び位置決め槽１６を設け、磁石槽１２内に磁石１２１を設置し、容器１後ろ上方に固定孔１４を設け、この固定孔１４と上座体４の後方下部に設けた固定孔４５に軸棒１７を挿入し、上座体４が開閉自在に軸着される。且つ、上座体４上方に押し棒穿通孔４４を設け、押し棒６をこの押し棒穿通孔４４内に穿入させると、上下に安定した状態で滑動させることができる。上座体４下方両側に位置決め突起片４１及び鉄片槽４２を設け、この鉄片槽４２内に鉄片４２１を設置し、この鉄片４２１と磁石１２１の相互間の吸着力により、位置決め突起片４２を位置決め槽１６内に挿入させ、上座体４を固定し、容器１と上座体４を閉じ合わせることができる。さらに、上座体４前上方の両側に蓋体固定孔４６を設け、蓋体５の後ろ上方両側の蓋体固定柱５１と相互に係合させ、蓋体５が開閉自在に軸着される。蓋体５の前端辺縁部に重りを増設してもよい。且つ、押し棒６の下方両側にガイド突起６６を設け、上座体４の両側に設けた溝槽４３と容器１両側に設けた容器溝槽１３の間で上下に安定した状態で滑動させることができる。また、押し棒６の底部後端部に押し棒支持点６４を設け、押し棒６の底部中央に位置決め柱体６７を設置し、第一吸盤６１の上方の第一吸盤位置決め孔６１１と相互に係合させる。さらに、押し棒６の内部に槽部６３を設け、この槽部６３に弾性部材６２を設置し、且つ、押し棒６の上方に弾性部材キャップ６５を設け、この弾性部材キャップ６５と押し棒６の結合により、弾性部材６２を槽部６３内に位置決めする。容器１は回転座部３により水平に360度回転させることができる。
【０００８】
図５に本考案の使用状態を示す立体斜視図、図６に本考案の別の使用状態を示す立体斜視図、図７に本考案の側面断面図、図８に本考案の別の側面断面図をそれぞれ示す。これらの図に示すように、本考案の運用時には、本装置をテーブル上に置き、本装置を軽く押すと、回転座部３内の第二吸盤３１がテーブル面を吸着し、固定される。さらに、蓋体５及び上座体４を開き、多数の使い捨てレンゲ７を伏せて容器１内の収容空間１１に入れると、一番下の使い捨てレンゲ７前端の杓部７１が座体２中央の突起体２２上に位置決めされる。さらに、上座体４及び蓋体５を閉じると、上座体４下方両側に設けた鉄片４２１が容器１上方両側に設けた磁石１２１に吸着されて閉じ合わされる。使い捨てレンゲ７を取り出したいときは、押し棒６上方の固定キャップ６５を軽く押すと、押し棒６が下方向へ移動し、押し棒６下方の第一吸盤６１が一番上の使い捨てレンゲ７の杓部背面７２を吸着し、押し棒６を放すと、押し棒６の弾性部材６２が押し圧を受けて生じた反発力が、押し棒６を押し戻すと同時に、吸着された一番上の使い捨てレンゲ７が上方向に持ち上げられ、この使い捨てレンゲ７が吸着されて上方向に持ち上がったとき、使い捨てレンゲ７の柄背面部７３が蓋体５の蓋体突起部５２に当接して蓋体５を押し開き、蓋体５が自動的に開く動作が行われる。蓋体５が押し開かれると、同時に蓋体５そのものと重りの重量により、蓋体突起部５２が使い捨てレンゲ７の柄背面部７３を下方向へ押し圧するが、使い捨てレンゲ７の先端背面部７４が押し棒支持点６４に当接するように位置決めされている。それによって、使い捨てレンゲ７が湾曲し変形され、ここで離脱の動作が行われ、一度に一本のみ使い捨てレンゲ７を取り出すという目的を達することができ、使用者が便利に清潔で衛生的な使い捨てレンゲ７を取り出すことができる。また、使い捨てレンゲ７が取り出されると、蓋体５前端辺縁部に設けた重りと蓋体そのものの重量の関係で蓋体５が自動的に落下して閉じ、容器１内部の使い捨てレンゲ７を衛生的に保つことができる。さらに、本装置底部には回転座部３が設けられているため、容器１を水平に３６０度回転させることができ、使用者があらゆる方向から便利に使い捨てレンゲ７を取り出すことができる。
【０００９】
上述のように、本考案の食器吸着装置の構造は、周到な設計で実用性と新規性を兼ね備え、また本考案はこれまで公開されたことのない格別な作用効果をもたらし、更に本考案の設計は出願の要件を満たしているため、法に基づきここに出願を行うものである。
【図面の簡単な説明】
【００１０】
【図１】本考案の立体斜視図。
【図２】本考案の立体分解図。
【図３】本考案の上半部の立体分解断面図。
【図４】本考案の下半部の立体分解断面図。
【図５】本考案の使用状態を示す立体斜視図。
【図６】本考案の別の使用状態を示す立体斜視図。
【図７】本考案の側面断面図。
【図８】本考案の別の側面断面図。
【符号の説明】
【００１１】
１        容器
１１      収容空間
１２      磁石槽
１２１    磁石
１３      容器溝槽
１４      固定孔
１５      固定柱
１６      位置決め槽
１７      軸棒
２        座体
２１      固定孔
２１１    パッド
２１２    固定部材
２２      突起体
２３      位置決め孔
３        回転座部
３１      第二吸盤
３１１    吸盤柱体
３１２    ネジ孔
４        上座体
４１      位置決め突起片
４２      鉄片槽
４２１    鉄片
４３      溝槽
４４      押し棒穿通孔
４５      固定孔
４６      蓋体固定孔
５        蓋体
５１      蓋体固定柱
５２      蓋体突起部
６        押し棒
６１      第一吸盤
６１１    第一吸盤位置決め孔
６２      弾性部材
６３      槽部
６４      押し棒支持点
６５      固定キャップ
６６      ガイド突起
６７      位置決め柱体
７        使い捨てレンゲ
７１      杓部
７２      杓部背面
７３      柄背面
７４      先端背面部
【図１】
0003116113.tif 000003
【図２】
0003116113.tif 000004
【図３】
0003116113.tif 000005
【図４】
0003116113.tif 000006
【図５】
0003116113.tif 000007
【図６】
0003116113.tif 000008
【図７】
0003116113.tif 000009
【図８】
0003116113.tif 000010